(57)【要約】【課題】インデックス画像を保存しておかなくても、ユーザが映像の中から再生しようとする部分を手間をかけずに探し出せるようにする。【解決手段】カメラ装置１００は、撮影映像が再生されるときに、その撮影映像を再生するための動画データから一定間隔ごとに抽出したＩフレームを用いた複数のインデックス画像を生成および表示した後に、撮影映像が再生されるように制御する再生制御手段を有している。【選択図】図１
2008160187.tif 000002
【特許請求の範囲】
【請求項１】
撮影映像が再生されるときに、該撮影映像を再生するための動画データから一定間隔ごとに抽出したＩフレームを用いた複数のインデックス画像を生成および表示した後に、前記撮影映像が再生されるように制御する再生制御手段を有するカメラ装置。
【請求項２】
撮影映像を再生する再生手段と、
該再生手段が前記撮影映像を再生するための動画データから一定間隔ごとにＩフレームを抽出する抽出手段と、
該抽出手段が抽出した前記Ｉフレームを用いた複数のインデックス画像を生成するインデックス画像生成手段と、
前記再生手段が前記撮影映像を再生するときに、前記インデックス画像生成手段が生成した前記インデックス画像を表示させた後に、前記撮影映像が再生されるように制御する再生制御手段を有するカメラ装置。
【請求項３】
前記インデックス画像を選択する画像選択手段を更に有し、
前記再生制御手段は、前記動画データのうちの前記画像選択手段により選択された前記インデックス画像に対応する対応位置から前記撮影映像が再生されるように制御する請求項１または２記載のカメラ装置。
【請求項４】
前記インデックス画像が表示された後に前記撮影映像が再生されるインデックス再生モードと、前記インデックス画像が表示されることなく前記撮影映像が再生される通常再生モードとを選択するモード選択手段を更に有する請求項１または２記載のカメラ装置。
【請求項５】
前記動画データを構成するＧＯＰから、一定間隔ごとにＧＯＰを検出する検出手段を更に有し、
前記抽出手段は、前記検出手段により検出された前記ＧＯＰに含まれているＩフレームを抽出するように構成されている請求項２記載のカメラ装置。
【請求項６】
撮影映像を再生する再生手段を備えたカメラ装置における再生制御方法であって、
前記再生手段が前記撮影映像を再生するときに、該撮影映像を再生するための動画データから一定間隔ごとに抽出したＩフレームを用いた複数のインデックス画像を生成および表示した後に、前記撮影映像が再生されるように制御するカメラ装置における再生制御方法。
【発明の詳細な説明】
【技術分野】
【０００１】
本発明は、撮影された撮影映像を示す動画データからインデックス画像を生成するデジタルカメラ、ビデオカメラ等のカメラ装置およびそのカメラ装置における再生制御方法に関する。
【背景技術】
【０００２】
従来、被写体の光学画像を静止画（静止画像）または動画（動画像）として取込み、撮影した画像を画像データに変換して電子的に保存するカメラ装置（電子カメラ装置ともいう）が知られている。従来のカメラ装置には、静止画の撮影を主体とするデジタルカメラと、動画の撮影を主体とするビデオカメラとがある。
【０００３】
デジタルカメラ、ビデオカメラのいずれについても従来から様々なものが普及している。例えば、特許文献１には、連続画像の中から複数の静止画を抽出し、その抽出した複数の静止画の縮小画像を一画面内に配列したインデックス画像を生成して記録するデジタルカメラが開示されている。
【特許文献１】特開２００１−２１１４２１号公報
【発明の開示】
【発明が解決しようとする課題】
【０００４】
上記特許文献１に開示されているデジタルカメラのように従来のカメラ装置は、インデックス画像によって、動画データ全体の内容が容易に把握できるようになっていることがある。
【０００５】
しかし、従来のカメラ装置では、インデックス画像は予め生成して保存しておかねばならない。そのため、従来のカメラ装置では、インデックス画像が保存されていないときは、先頭から再生しないと映像の内容を知ることはできないし、映像の中から再生したい部分を探し出すにも手間を要してしまう。
【０００６】
そこで、本発明は上記課題を解決するためになされたもので、インデックス画像を保存しておかなくても、ユーザが映像の中から再生しようとする部分を手間をかけずに探し出せるようにしたカメラ装置およびそのカメラ装置における再生制御方法を提供することを目的とする。
【課題を解決するための手段】
【０００７】
上記課題を解決するため、本発明は、撮影映像が再生されるときに、その撮影映像を再生するための動画データから一定間隔ごとに抽出したＩフレームを用いた複数のインデックス画像を生成および表示した後に、撮影映像が再生されるように制御する再生制御手段を有するカメラ装置を特徴とする。
【０００８】
また、本発明は、撮影映像を再生する再生手段と、その再生手段が撮影映像を再生するための動画データから一定間隔ごとにＩフレームを抽出する抽出手段と、その抽出手段が抽出したＩフレームを用いた複数のインデックス画像を生成するインデックス画像生成手段と、再生手段が撮影映像を再生するときに、インデックス画像生成手段が生成したインデックス画像を表示させた後に、撮影映像が再生されるように制御する再生制御手段を有するカメラ装置を提供する。
【０００９】
さらに、本発明は、撮影映像を再生する再生手段を備えたカメラ装置における再生制御方法であって、再生手段が撮影映像を再生するときに、その撮影映像を再生するための動画データから一定間隔ごとに抽出したＩフレームを用いた複数のインデックス画像を生成および表示した後に、撮影映像が再生されるように制御するカメラ装置における再生制御方法を提供する。
【発明の効果】
【００１０】
以上詳述したように、本発明によれば、インデックス画像を保存しておかなくても、ユーザが映像の中から再生しようとする部分を手間をかけずに探し出せるようにしたカメラ装置およびそのカメラ装置における再生制御方法が得られる。
【発明を実施するための最良の形態】
【００１１】
以下、本発明の実施の形態について説明する。なお、同一要素には同一符号を用い、重複する説明は省略する。
【００１２】
（カメラ装置の構成）
図１は、本発明の実施形態に係るカメラ装置１００の主要な構成を示すブロック図である。図１に示すカメラ装置１００は、動画の撮影を主体とし、静止画も撮影することが可能なデジタルビデオカメラ装置である。
【００１３】
また、カメラ装置１００は、動画の撮影や再生の際にＭＰＥＧ−２にしたがい圧縮したデータを扱う。カメラ装置１００は動画を再生するときには、通常の再生以外に、逆再生、高速再生、高速逆再生、コマ送り、コマ戻しなどのトリック再生が簡単に実現できる。さらに、カメラ装置１００は画像データの記録媒体を磁気テープにする場合と違って、後述するＨＤＤ１０５またはメモリカード１１７といったランダムアクセス可能な記録媒体を用いている。そのため、ユーザが見たい映像のサーチも容易に行えるようになっている。
【００１４】
このカメラ装置１００は、デジタル信号出力部１０１と、信号処理部１０２と、圧縮伸張処理部１０３と、メモリ１０４およびＨＤＤ（Hard  Disk  Drive）１０５とを有している。
【００１５】
また、カメラ装置１００は、メモリカードスロット１０６と、ビデオデコーダ１０７と、ＬＣＤ（Liquid  Crystal  Display）ドライバ１０８と、ＬＣＤ１０９と、ＬＡＮコントローラ１１０およびＵＳＢコントローラ１１１を有している。さらに、カメラ装置１００は、ＬＡＮ端子１１２と、ＵＳＢ端子１１３と、ＣＰＵ１１４と、操作部１１５、十字キー１１６および決定キー１１７を有している。
【００１６】
デジタル信号出力部１０１は、図示しないレンズを通して得られる被写体の光学画像を用いてＣＣＤ（Charge  Coupled  Device）が生成したアナログの電気信号をデジタル信号に変換して信号処理部１０２に出力する。
【００１７】
信号処理部１０２は、入力されるデジタル信号に画像処理を施して、実際に撮影された撮影映像を示す動画データを生成する動画データ生成手段としての機能を有している。なお、生成された動画データは一旦メモリ１０４に格納される。
【００１８】
圧縮伸張処理部１０３は、メモリ１０４から取り出した動画データをＭＰＥＧ−２にしたがい圧縮して圧縮動画データとし、静止画データをＪＰＥＧにしたがい圧縮して圧縮静止画データとする。また、圧縮伸張処理部１０３は、ＣＰＵ１１４の指示にしたがい圧縮動画データおよび圧縮静止画データを伸長する。
【００１９】
メモリ１０４は信号処理部１０２による処理の対象となるデータや、圧縮伸張処理部１０３による処理の対象となるデータ、さらには抽出した後述するＩピクチャ３１２Ｉが一時的に記憶される。
【００２０】
ＨＤＤ１０５は、外部記憶装置であって、内蔵しているＨＤ（Hard  Disc）に圧縮された動画データ（圧縮動画データ）および音声データ並びに圧縮静止画データを記録する。ＨＤＤ１０５はＨＤ（Hard  Disc）に対して、ランダムアクセスでデータの読み書きを行う。
【００２１】
メモリカードスロット１０６は、ＳＤメモリカード（Secure  Digital  memory  card）などのメモリカード１１７が差込まれ、その差込まれたメモリカード１１７に対するデータの読み書きを行う。メモリカード１１７には、圧縮された動画データなどが記録される。
【００２２】
ビデオデコーダ１０７は、圧縮されている動画データを用いて、撮影された撮影映像を表示するため、動画データの復号化処理を行い、ＬＣＤドライバ１０８に出力する。このビデオデコーダ１０７は、復号化プログラムにより実現されるソフトウェアデコーダーである。
【００２３】
ＬＣＤドライバ１０８は、ビデオデコーダ１０７から受けた復号化された動画データをＬＣＤ１０９のインターフェースに適合した表示信号に変換する。ＬＣＤ１０９は、ＬＣＤドライバ１０８から出力される表示信号を用いて撮影映像を表示する。
【００２４】
そして、ビデオデコーダ１０７が動画データの復号化処理を行い、ＬＣＤドライバ１０８が復号化された動画データの変換を行い、ＬＣＤ１０９が撮影映像を表示することによって、撮影映像が再生される。この場合、ビデオデコーダ１０７、ＬＣＤドライバ１０８およびＬＣＤ１０９が再生手段を構成している。
【００２５】
ＬＡＮコントローラ１１０は、ＣＰＵ１１４の指示にしたがい、メモリ１０４から取り出した動画データをＬＡＮ端子１１２を介して接続される図示しない外部の装置（例えば、ＤＶＤレコーダやＨＤＤレコーダ）へ転送する。また、ＬＡＮコントローラ１１０は、ＬＡＮ端子１１２を介して外部の装置から取り込んだ動画データをメモリ１０４に出力する。
【００２６】
ＵＳＢコントローラ１１１は、ＣＰＵ１１４の指示にしたがい、メモリ１０４から取り出した動画データをＵＳＢ端子１１３を介して接続される図示しない外部の装置（例えば、パーソナルコンピュータ）へ転送する。また、ＵＳＢコントローラ１１１は、ＵＳＢ端子１１３を介して外部の装置から取り込んだ動画データをメモリ１０４に出力する。
【００２７】
ＣＰＵ１１４は、図示しないＲＯＭに記憶されているプログラムにしたがい本発明の特徴とする各種手段（抽出手段、インデックス画像生成手段、再生制御手段、検出手段）として作動する。また、ＣＰＵ１１４は、他の構成要素との信号の入出力を行い、カメラ装置１００全体の動作制御や各シーケンスの制御を行う。
【００２８】
操作部１１５はＪＯＧダイヤルを有している。操作部１１５はユーザによってカメラ装置１００における種々の機能（例えば、再生開始、撮影開始、再生停止、撮影停止など）を選択および実行するための操作が行われる操作手段である。
【００２９】
また、動画が再生されているときにＪＯＧダイヤルが操作されると、その操作に応じて再生速度が調整されるようになっている。ユーザは、十字キー１１６によって再生する映像を選択し、決定キー１１７によってその映像を決定することができる。
【００３０】
次に、ＭＰＥＧ−２にしたがい圧縮伸張処理部１０３が圧縮した動画データのデータ構造について、図２、図３を参照して説明する。ここで、図２はＭＰＥＧ−２にしたがい圧縮伸張処理部１０３が圧縮した動画データのデータ構造を示す図である。
【００３１】
動画データは、ヘッダ部２０１と、データ部２０２とを有している。ヘッダ部２０１にはＶＯＢＵ−ＥＮＴ情報部があり、データ部２０２を構成する各ＶＯＢＵ（Video  Object  Block  Unit；ビデオオブジェクトブロックユニット）のサイズが記録されている。データ部２０２は、ＶＯＢＵを複数（ＶＯＢＵ２０２ａ，２０２ｂ・・・）有している。
【００３２】
そして、ＶＯＢＵの個数は撮影時間に比例している。ＶＯＢＵはＭＰＥＧ−２にしたがい圧縮された０．５秒分の動画データ、つまり、後述するＧＯＰ(Group  of  Pictures)１つ分と多くのヘッダ情報とを有している。例えば、撮影時間が１０分間のときは、１０分×６０秒／０．５により求まる１２００個のＧＯＰが生成されている。ヘッダ部２０１のＶＯＢＵ−ＥＮＴ情報部には各ＶＯＢＵのサイズが記録されているので、１２００個のＧＯＰ各々のサイズ情報が記録されている。
【００３３】
また、図３は、同じく、ＭＰＥＧ−２にしたがい圧縮伸張処理部１０３が圧縮した動画データ３２３の構造を、インデックス画像生成ポイント３３０とともにＧＯＰを表示して示す図である。カメラ装置１００では、動画データ３２３を用いて撮影映像を再生する場合、ある単位の動画像または何枚かの動画像をまとめてＧＯＰとし、そのＧＯＰ単位での独立した再生ができるようになっている。ＧＯＰには、１５フレーム分の動画データが含まれている。
【００３４】
そして、動画データ３２３は、ヘッダ３０１と、実際に撮影された撮影映像を示す動画ストリーム３２２とを有している。
【００３５】
ヘッダ３０１には、画像の大きさ、画素縦横比など、ビデオデコーダ１０７が動画データを復号化して撮影映像を再生するために必要な初期データ等の管理情報が記録されている。
【００３６】
インデックス画像生成ポイント３３０は、複数のインデックス画像生成ポイント３３１，３３２，３３３，３３４を有している。インデックス画像生成ポイント３３１，３３２，３３３，３３４は、それぞれ後述するインデックス画像の生成の対象となったＧＯＰがどのＧＯＰなのかを示している。
【００３７】
後述するように、インデックス画像は動画データ３２３から、一定間隔ごとに抽出されたＩフレームを用いて生成されている。インデックス画像生成ポイント３３１，３３２，３３３，３３４は、対応するＧＯＰが先頭から何番目のＧＯＰであるかを示しており、それぞれＧＯＰ３０２，３０８、３１３，３１８に対応している。図３では、インデックス画像生成ポイント３３１，３３２，３３３，３３４が１００ＧＯＰごとのＧＯＰの場合を示していて、例えば、ＧＯＰ３０８は１０１個目のＧＯＰを示し、ＧＯＰ３１３は４０１個目のＧＯＰを示している。
【００３８】
そして、動画ストリーム３２２は、複数のＧＯＰ（ＧＯＰ３０２〜３２１）を有するデータストリームとして構成され、各ＧＯＰが０．５秒単位で記録されている。各ＧＯＰは操作部１１５を用いた編集処理の単位となるもので、撮影時間が０．５秒分のデータとなっている。
【００３９】
また、各ＧＯＰは図４に詳しく示すように、複数のピクチャ（フレームともいう）を有している（本実施の形態では、１５個のピクチャ）。図４は、ＧＯＰ３１２を示している。各ＧＯＰは、ＧＯＰ３１２のように、Ｉピクチャ３１２Ｉ、Ｐピクチャ３１２ＰおよびＢピクチャ３１２Ｂの３種類のピクチャを有し、これらが時間軸ｔにそって図４に示すようにして並べられている。
【００４０】
Ｉピクチャ３１２Ｉはフレーム内符号化画像（Ｉｎｔｒａ−Ｐｉｃｔｕｒｅ）であり、圧縮の際の基準となる画像である。Ｐピクチャ３１２Ｐは予測符号化画像（Ｐｒｅｄｉｃｔｉｖｅ−Ｐｉｃｔｕｒｅ）であり、過去のＩピクチャ３１２Ｉとのフレーム間順方向予測で符号化されている。Ｂピクチャ３１２Ｂは双方向予測符号化画像（Ｂｉｄｉｒｅｃｔｉｏｎａｌｌｙ−ｐｒｅｄｉｃｔｉｖｅ−Ｐｉｃｔｕｒｅ）であり、前後のＰピクチャまたはＩピクチャから双方向で予測符号化されている。
【００４１】
このうち、Ｉピクチャ３１２Ｉはフレーム内で符号化されているので、独立性を保っている。すなわち、Ｉピクチャ３１２Ｉは他のピクチャを用いることなくそれ自身単独で１枚のフレームを復元することができる。本発明の実施の形態では、この点に着目し、Ｉピクチャ３１２Ｉを抽出することとしている。
【００４２】
詳しくは後述するように、カメラ装置１００では、Ｉピクチャ３１２ＩをＧＯＰから抽出し、１枚の静止画（Ｓｔｉｌｌ  Ｉｍａｇｅ）３４０を表示するための静止画データに変換している。カメラ装置１００では、この静止画データを用いて、インデックス画像を生成および表示するようになっている（詳しくは後述する）。
【００４３】
（カメラ装置の動作内容）
次に、カメラ装置１００による映像の再生制御処理の動作手順について説明する。図５は、ＬＣＤ１０９に表示される映像の再生メニュー３４５の一例を示す図、図６は映像の再生制御処理の動作手順を示すフローチャートである。図６のフローチャートは、ＣＰＵ１１４によって実行される。
【００４４】
ユーザはまず、操作部１１５や十字キー１１６を操作して、再生しようとする映像を選択し、決定キー１１７を操作して再生しようとする映像を決定する。その上で、ユーザは操作部１１５を操作して再生開始を指示する。すると、カメラ装置１００は該当する動画データを用いて撮影映像を再生する。この場合、ＣＰＵ１１４は再生制御手段としての動作を行い、図６に示すフローチャートに沿って、映像の再生制御処理を実行する。
【００４５】
ＣＰＵ１１４は映像の再生制御処理を開始すると、ＬＣＤ１０９に再生メニュー３４５を表示させる（Ｓ１）。この再生メニュー３４５は、図５に示すように、「１  通常再生」、「２  インデックス再生」の２つの項目がある。このうち、通常再生はインデックス画像を表示することなく再生する通常再生モード、インデックス再生はインデックス画像を表示した後に撮影映像を再生するインデックス再生モードに対応している。ユーザはモード選択手段としての操作部１１５を操作して、いずれかを選ぶことができる。
【００４６】
次に、ＣＰＵ１１４は操作部１１５からの入力信号に基づき、ユーザが「１  通常再生」、「２  インデックス再生」のいずれを選択したかを判定する（Ｓ２）。ここで、「１  通常再生」が選択されたときはＳ１０に進み、「２  インデックス再生」が選択されたときは、インデックス画像を生成するため、Ｓ３に進む。
【００４７】
そして、ＣＰＵ１１４は、カウンタｎを初期化（“１”をセット）する（Ｓ３）。このカウンタｎは前述のインデックス画像生成ポイントを示している。
【００４８】
続いて、ＣＰＵ１１４は再生に用いられる動画データの再生時間を取得し、その取得した再生時間に基づき、動画データ全体のＧＯＰの個数（総ＧＯＰ数）を算出する（Ｓ４）。
【００４９】
また、ＣＰＵ１１４は後述するインデックス画像を生成するためのＧＯＰの間隔（ＧＯＰ間隔）を求める（Ｓ５）。例えば、ＣＰＵ１１４はＧＯＰ間隔を再生時間の１／１０の時間（単位再生時間）に応じて設定することができる。この場合、ＧＯＰ間隔は総ＧＯＰ数の１／１０に設定される。例えば、図３に示したように、総ＧＯＰ数が１００４であるときは、ＧＯＰ間隔を１００に設定できる。すると、インデックス生成ポイントは、１番目のＧＯＰ（ＧＯＰ３０２）、１０１番目のＧＯＰ（ＧＯＰ３０８）のようにＧＯＰ間隔ごとに設定される。ただし、ＧＯＰ間隔は再生時間の１／１０以外の時間に設定することもできる。
【００５０】
次に、ＣＰＵ１１４はカウンタｎに対応するＧＯＰを検出し、その検出したＧＯＰ（ｎ番目のＧＯＰ）からＩピクチャを抽出する（Ｓ６）。この場合、ＣＰＵ１１４は検出手段としての動作を行い、ＧＯＰ間隔ごとにＧＯＰを検出する。
【００５１】
また、ＣＰＵ１１４は、抽出したＩピクチャ３１２Ｉをメモリ１０４に展開した上で、Ｉピクチャ３１２Ｉを用いた静止画を適宜縮小したインデックス画像をＬＣＤ１０９に縦または横に順次並べながら表示させる（Ｓ７）。
【００５２】
次に、ＣＰＵ１１４は、カウンタｎにＧＯＰ間隔を加算して、カウンタｎをＧＯＰ間隔分だけシフトする（Ｓ８）。
【００５３】
続いて、ＣＰＵ１１４は、カウンタｎが総ＧＯＰ数以上になったことにより、終了条件が成立したか否かを判定する（Ｓ９）。ＣＰＵ１１４は、終了条件が成立しているときは映像の再生制御処理を実行するが、そうでなければＳ６に戻り、Ｓ６からＳ９の動作を繰り返す。ＣＰＵ１１４は、Ｓ６からＳ９の動作を繰り返すことによって、ＧＯＰ間隔ごとにＧＯＰを検出し、Ｉピクチャ３１２Ｉを抽出している。なお、Ｓ１０では、動作データの先頭画像を表示させる。この場合、インデックス画像は表示されずに撮影映像が再生される。
【００５４】
以上のようにすることによって、ＧＯＰ間隔ごとにＧＯＰが検出され、検出されたＧＯＰからＩピクチャが抽出され、そのＩピクチャを用いたインデックス画像が縦または横に順次並んだ状態でＬＣＤ１０９に表示される。
【００５５】
そして、ユーザは、動作データを再生するときは、ＬＣＤ１０９に表示されるインデックス画像の全体（ＬＣＤ１０９に表示される個々のインデックス画像をまとめてインデックス画像ともいう）を見ながら、再生を希望するインデックス画像を選び、画像選択手段としての操作部１１５を操作してそのインデックス画像を選択する。すると、選択されたインデックス画像の対応位置（選択されたインデックス画像に対応したＧＯＰ）から映像が再生される。
【００５６】
以上のように、カメラ装置１００は、映像の再生前に複数のインデックス画像がＬＣＤ１０９に表示されるので、ユーザはそれらのインデックス画像を見ることによって、わざわざ再生することなくその映像の内容を把握することができる。つまり、複数のインデックス画像は再生しようとする撮影映像の内容確認のための一時的なものであり、そのインデックス画像の生成および表示と撮影映像の再生とが有機的に関連したものとなっている。
【００５７】
また、ユーザが再生を希望するインデックス画像を選択することによって、選択されたインデックス画像に対応したＧＯＰから映像が再生されるので、再生しようとする箇所を探す手間もかからないようになっている。
【００５８】
カメラ装置１００では、インデックス再生を選択するだけで、撮影映像のインデックス画像が表示されるので、わざわざインデックス画像を生成して保存しておかなくても内容を確認した上で、撮影映像を再生することができ、いたって便利である。
【００５９】
さらに、カメラ装置１００は、映像の再生前にインデックス画像を生成しているが、生成されたインデックス画像はＬＣＤ１０９に表示されるものの、いずれもメモリカード等に記録されるものではない。そのため、カメラ装置１００はインデックス画像の保存のためにメモリカード等を必要としないものになっている。
【００６０】
なお、上述したカメラ装置１００では、ランダムアクセスによりデータの読み書きを行える外部記憶装置として、ＨＤＤ１０５を有しているが、ＨＤＤ１０５のほか、ＤＶＤ（Digital  Versatile  Disk）へのデータの記録を行うＤＶＤドライブを備えていてもよい。そして、ＤＶＤドライブにより、ＤＶＤ−ＲＷ、ＤＶＤ−ＲＡＭなどの書き換え可能な記憶媒体に動画データを記憶するようにすればよい。
【００６１】
以上の説明は、本発明の実施の形態についての説明であって、この発明の装置及び方法を限定するものではなく、様々な変形例を容易に実施することができる。又、各実施形態における構成要素、機能、特徴あるいは方法ステップを適宜組み合わせて構成される装置又は方法も本発明に含まれるものである。
【図面の簡単な説明】
【００６２】
【図１】本発明の実施形態に係るカメラ装置の主要な構成を示すブロック図である。
【図２】ＭＰＥＧ−２にしたがい圧縮伸張処理部が圧縮した動画データのデータ構造を示す図である。
【図３】同じく、ＭＰＥＧ−２にしたがい圧縮伸張処理部が圧縮した動画データの構造をインデックス画像生成ポイントとともにＧＯＰを表示して示す図である。
【図４】ＧＯＰを構成するピクチャの一例を示す図である。
【図５】再生メニューの一例を示す図である。
【図６】映像の再生制御動作の手順を示すフローチャートである。
【符号の説明】
【００６３】
１００…カメラ装置、１０２…信号処理部、１０５…ＨＤＤ、１０９…ＬＣＤ
１１４…ＣＰＵ、３０１…ヘッダ、３２３…動画データ
３３０，３３１，３３２，３３３，３３４…インデックス画像生成ポイント
３１２Ｉ…Ｉピクチャ，３１２Ｐ…Ｐピクチャ，３１２Ｂ…Ｂピクチャ
【図１】
2008160187.tif 000003
【図２】
2008160187.tif 000004
【図３】
2008160187.tif 000005
【図４】
2008160187.tif 000006
【図５】
2008160187.tif 000007
【図６】
2008160187.tif 000008